(57)【要約】【課題】音圧の劣化を抑えるとともに、スピーカ装置の使用目的に応じた音圧、音質、指向性を得る。【解決手段】振動板６ａ，７ａ、振動板６ａ，７ａを駆動する駆動部６ｂ，７ｂ、駆動部６ｂ，７ｂに信号を入力するための入力端子６ｃ，７ｃを有する第１スピーカ６及び第２スピーカ７と、第１スピーカ６の背面側と第２スピーカ７の背面側との間に空間１０をあけて対向させた状態で、第１スピーカ６及び第２スピーカ７のそれぞれの全体を覆って支持する支持フレーム８と、を備える。また、支持フレーム８は、第１スピーカ６の音を放出するための第１放音孔１１と、第２スピーカ７の音を放出するための第２放音孔１２と、第１スピーカ６と第２スピーカ７との間の空間１０に連通されて振動板６ａ，７ａを制動するための制動孔１３とを有している。【選択図】図２
2010119032.tif 000002
【特許請求の範囲】
【請求項１】
携帯型電子機器に用いられるスピーカ装置において、
振動板と、前記振動板を駆動する駆動部と、前記駆動部に信号を入力するための入力端子とを有する第１スピーカ及び第２スピーカと、
前記第１スピーカの背面側と前記第２スピーカの背面側との間に空間をあけて対向させた状態で、前記第１スピーカ及び前記第２スピーカのそれぞれの全体を覆って支持する支持フレームと、を備え、
前記支持フレームは、前記第１スピーカの音を放出するための第１放音孔と、前記第２スピーカの音を放出するための第２放音孔と、前記第１スピーカと前記第２スピーカとの間の前記空間に連通されて前記振動板を制動するための制動孔とを有していることを特徴とするスピーカ装置。
【請求項２】
前記第１スピーカ及び前記第２スピーカは、各スピーカの前記入力端子に対して、同位相の信号が入力される状態と、互いに逆位相の信号が入力される他の状態とに制御される、請求項１に記載のスピーカ装置。
【請求項３】
前記支持フレームを内部に収容するケースを備え、
前記ケースの内部には、前記制動孔に連通されて前記空間に容積を加えるための補助空間が設けられている、請求項１又は２に記載のスピーカ装置。
【請求項４】
前記第１放音孔及び前記第２放音孔は、前記第１スピーカ及び前記第２スピーカの厚み方向に直交する方向に前記支持フレームを貫通して設けられている、請求項１ないし３のいずれか１項に記載のスピーカ装置。
【請求項５】
前記第１スピーカの前面側及び前記第２スピーカの前面側は、外部に連通されている、請求項１ないし４のいずれか１項に記載のスピーカ装置。
【請求項６】
前記第１スピーカ及び前記第２スピーカは、圧電スピーカである、請求項１ないし５のいずれか１項に記載のスピーカ装置。
【請求項７】
請求項１ないし６のいずれか１項に記載のスピーカ装置を備える携帯型電子機器。
【請求項８】
前記第１スピーカ及び前記第２スピーカのそれぞれの前記入力端子に対して、同位相の信号を入力する状態と、互いに逆位相の信号を入力する他の状態とを制御する制御回路を有する、請求項７に記載の携帯型電子機器。
【請求項９】
携帯型電話機である請求項８に記載の携帯型電子機器。
【請求項１０】
携帯型電子機器に用いられるスピーカ装置の製造方法において、
振動板を駆動する駆動部に信号を入力するための入力端子を有する第１スピーカ及び第２スピーカを、前記第１スピーカの背面側と前記第２スピーカの背面側との間に空間をあけて対向させた状態で、前記第１スピーカ及び前記第２スピーカのそれぞれの全体を覆って支持する支持フレームに実装する工程と、
前記支持フレームに、前記第１スピーカの音を放出するための第１放音孔と、前記第２スピーカの音を放出するための第２放音孔と、前記第１スピーカと前記第２スピーカとの間の前記空間に連通されて前記振動板を制動するための制動孔を形成する工程と、
を有することを特徴とするスピーカ装置の製造方法。
【請求項１１】
前記制動孔に連通されて前記空間に容積を加えるための補助空間が内部に設けられているケースの内部に、前記支持フレームを実装する工程を有する、請求項１０に記載のスピーカ装置の製造方法。
【請求項１２】
携帯型電子機器に用いられるスピーカ装置の制御方法において、
前記スピーカ装置は、振動板を駆動する駆動部に信号を入力するための入力端子を有する第１スピーカ及び第２スピーカが、前記第１スピーカの背面側と前記第２スピーカの背面側との間に空間をあけて対向させた状態で、前記第１スピーカ及び前記第２スピーカのそれぞれの全体を覆って支持する支持フレームに実装され、前記支持フレームが、前記第１スピーカの音を放出するための第１放音孔と、前記第２スピーカの音を放出するための第２放音孔と、前記第１スピーカと前記第２スピーカとの間の前記空間に連通されて前記振動板を制動するための制動孔とを有しており、
前記第１スピーカ及び前記第２スピーカのそれぞれの前記入力端子に対して、同位相の信号を入力する状態と、互いに逆位相の信号を入力する他の状態とに制御することを特徴とするスピーカ装置の制御方法。
【発明の詳細な説明】
【技術分野】
【０００１】
本発明は、例えば携帯型電話機等の携帯型電子機器に用いられるスピーカ装置、携帯型電子機器、スピーカ装置の製造方法、及びスピーカ装置の制御方法に関する。
【背景技術】
【０００２】
携帯型電子機器としては、例えば携帯型音楽プレーヤ、ＰＤＡ等の情報端末、携帯電話機等の通信機器が知られている。
【０００３】
この種の携帯型電子機器の一例として、近年の携帯電話機では、薄型化、小型化及び高機能化と様々な方向に発展しているが、携帯電話機で使用されている部品に対しては同等の機能又はそれ以上の機能を確保しつつ、更なる薄型化、小型化を図ることが要望されている。また、携帯電話機では、いろいろな用途を取り入れようとする多機能化も進んでいる。
【特許文献１】特開２００３−１５２８３７号公報（図４）
【発明の開示】
【発明が解決しようとする課題】
【０００４】
上述したように、携帯電話機が備えるスピーカは、着信音を鳴らす機能のみならず、音楽再生機能、ＤＴＶ（地上波デジタルテレビジョン）放送の音声再生等のような各種機能に使用される場合が増えており、これら各種機能を１つのスピーカだけで十分に対応することが困難である。
【０００５】
代表的な例として、携帯電話機では、液晶表示板の表示面が配置された面の反対側にスピーカが実装されている構成が多く、ＤＴＶ放送を視聴するときに音声が表示面の背面側から出力されてくることになる。このため、スピーカの指向性及び実装位置や構造による出力損失の影響を受けるので、液晶表示板の表示面側で聞こえる音声が小さくなってしまう問題がある。
【０００６】
逆に、液晶表示板の表示面側にスピーカが配置された場合には、液晶表示板の表示面側を下に向けて携帯電話機を置いたときに聞こえる着信音が小さくなってしまう問題がある。また、特に折り畳み式の携帯電話機では、携帯電話機を閉じた状態では、なおさら着信音が小さくなってしまう。
【０００７】
また同様に、表示面を見ながら通話するＴＶ電話機能を使用する場合にも、表示面を見ながら通話するときに、表示面の反対側にスピーカが実装されている構成では、上述と同様に聞こえる相手の声が小さくなってしまう問題がある。
【０００８】
従来では、このような携帯電話機の使用シーン（使用目的）を想定して、指向性、出力効率を僅かでも向上させることが可能な実装位置及び音孔の面積を設定している。加えて、指向性の影響によって劣化した帯域を、イコライザー機能等を用いて電気的に微調整することで回避していたが、このような設計が非常に困難を極めるという問題がある。
【０００９】
また、良好な音を得るための他の対策として、２つのスピーカを使用する構成や、スピーカ自体の大型化や、スピーカの厚みを増やすことで性能の向上を図ることができる。２つのスピーカを備える携帯電話機としては、液晶表示板の背面側を覆う背面側筐体の内部に、２つの小型スピーカを左右対称となるように、背面側筐体に対してほぼ平行となるように実装する構成が開示されている（特許文献１参照）。しかしながら、このような構成は、スピーカの実装に要する面積の増加を招くので、携帯電話機の小型化の要求とは逆行してしまう問題がある。
【００１０】
そこで、本発明は、上述した課題を鑑み、問題点のいくつかを解決し、音圧の劣化を抑えるとともに、スピーカ装置の使用目的に応じて音圧、音質、指向性を制御することを可能とするスピーカ装置、携帯型電子機器、スピーカ装置の製造方法、及びスピーカ装置の制御方法を提供することを目的とする。
【課題を解決するための手段】
【００１１】
上述した目的を達成するため、本発明に係るスピーカ装置は、携帯型電子機器に用いられる。このスピーカ装置は、振動板と、振動板を駆動する駆動部と、駆動部に信号を入力するための入力端子とを有する第１スピーカ及び第２スピーカを備える。また、このスピーカ装置は、第１スピーカの背面側と第２スピーカの背面側との間に空間をあけて対向させた状態で、第１スピーカ及び第２スピーカのそれぞれの全体を覆って支持する支持フレームと、を備える。また、支持フレームは、第１スピーカの音を放出するための第１放音孔と、第２スピーカの音を放出するための第２放音孔と、第１スピーカと第２スピーカとの間の空間に連通されて振動板を制動するための制動孔とを有している。
【００１２】
また、本発明に係るスピーカ装置の製造方法は、携帯型電子機器に用いられるスピーカ装置の製造方法において、振動板を駆動する駆動部に信号を入力するための入力端子を有する第１スピーカ及び第２スピーカを、第１スピーカの背面側と第２スピーカの背面側との間に空間をあけて対向させた状態で、第１スピーカ及び第２スピーカのそれぞれの全体を覆って支持する支持フレームに実装する工程と、支持フレームに、第１スピーカの音を放出するための第１放音孔と、第２スピーカの音を放出するための第２放音孔と、第１スピーカと第２スピーカとの間の空間に連通されて振動板を制動するための制動孔を形成する工程と、を有している。
【００１３】
また、本発明に係るスピーカ装置の制御方法は、携帯型電子機器に用いられるスピーカ装置の制御方法において、スピーカ装置は、振動板を駆動する駆動部に信号を入力するための入力端子を有する第１スピーカ及び第２スピーカが、第１スピーカの背面側と第２スピーカの背面側との間に空間をあけて対向させた状態で、第１スピーカ及び第２スピーカのそれぞれの全体を覆って支持する支持フレームに実装され、支持フレームが、第１スピーカの音を放出するための第１放音孔と、第２スピーカの音を放出するための第２放音孔と、第１スピーカと第２スピーカとの間の空間に連通されて振動板を制動するための制動孔とを有しており、第１スピーカ及び第２スピーカのそれぞれの入力端子に対して、同位相の信号を入力する状態と、互いに逆位相の信号を入力する他の状態とに制御する。
【００１４】
なお、本発明のスピーカ装置において、第１スピーカ及び第２スピーカの前面側とは、振動板によって音を外部に放出する側を指している。また、第１スピーカ及び第２スピーカの背面側とは、前面側の反対側を指している。また、本発明において、支持フレームが第１スピーカ及び第２スピーカのそれぞれの全体を覆う構造とは、厳密には、第１放音孔、第２放音孔、及び制動孔を除いて第１スピーカ及び第２スピーカのそれぞれの全体を覆う構造を指している。
【発明の効果】
【００１５】
本発明によれば、音圧の劣化を抑えるとともに、スピーカ装置の使用目的に応じて音圧、音質、指向性を制御することが可能になる。
【発明を実施するための最良の形態】
【００１６】
以下、本発明の具体的な実施形態について、図面を参照して説明する。
【００１７】
本実施形態のスピーカ装置は、例えば携帯型電話機やＰＤＡ（Personal Data Assistant）等の携帯端末を含む携帯型電子機器に用いられるものである。
【００１８】
図１は本実施形態のスピーカ装置を示す図であって、図１（ａ）が平面図、図１（ｂ）が図１（ａ）におけるＡ−Ａ断面図、図１（ｃ）がＡ−Ａ断面に直交する方向の断面図である。図２は、実施形態のスピーカ装置の内部構成を示すＡ−Ａ断面図である。
【００１９】
図１（ａ）〜図１（ｃ）及び図２に示すように、実施形態のスピーカ装置１は、振動板６ａ、７ａ、振動板６ａ，７ａを駆動する駆動部６ｂ，７ｂ、及び駆動部６ｂ、７ｂに信号を入力するための入力端子６ｃ，７ｃを有する第１スピーカ６及び第２スピーカ７と、第１スピーカ６の背面側と第２スピーカ７の背面側との間に空間１０をあけて対向させた状態で第１スピーカ６及び第２スピーカ７のそれぞれの全体を覆って支持する支持フレーム８と、を備えている。
【００２０】
第１スピーカ６及び第２のスピーカ７は、振動板６ａ，７ａの部分が外部に露出された薄型である圧電セラミックスピーカであり、携帯型電話機において着信メロディー等の着信音を鳴らすためや、通話時に音声拡声するとき等に使用される。第１スピーカ６及び第２スピーカ７には、入力端子６ｃ，７ｃとして（＋）入力端子及び（−）入力端子が２つずつ設けられている。また、第１スピーカ６と第２スピーカ７の各背面側が対向する間隔は、比較的小さくされて近接されており、第１スピーカ６と第２スピーカ７との間に空間１０が設けられている。
【００２１】
また、第１スピーカ６及び第２スピーカ７は、図１（ａ）〜図１（ｃ）に示すように、箱状の支持フレーム８の内部に固定されている。第１スピーカ６及び第２スピーカ７の各々の入力端子６ｃ，７ｃには、それぞれ配線が電気的に接続されて、配線が支持フレーム８を通って後述するケース９の外部まで引き出されており、各入力端子６ｃ，７ｃに独立して信号を入力することが可能に構成されている。
【００２２】
支持フレーム８は、図２に示すように、第１スピーカ６の音を放出するための第１放音孔１１と、第２スピーカ７の音を放出するための第２放音孔１２と、第１スピーカ６と第２スピーカ７が対向する空間１０に連通されて振動板６ａ，７ａを制動するための制動孔１３とを有している。
【００２３】
支持フレーム８には、図１（ａ）に示すように、第１放音孔１１が、第１スピーカ６の前面側の振動板６ａの中央に対向する位置に設けられている。同様に、支持フレーム８には、第２放音孔１２が、第２スピーカ７の前面側の振動板７ａの中央に対向する位置に設けられている。
【００２４】
また、図２に示すように、制動孔１３は、スピーカ６，７の各々の背面側の近傍に、スピーカ６，７の厚み方向に直交する方向、すなわちスピーカ６，７の背面にほぼ平行な方向に支持フレーム８を貫通して設けられており、スピーカ６，７の背面側の音を十分に放出することが可能にされている。したがって、支持フレーム８には、制動孔１３が第１スピーカ６と第２スピーカ７に共通して設けられている。また、支持フレーム８は、第１スピーカ６の背面側と第２スピーカ７の背面側との間に空間１０を構成している。
【００２５】
また、各スピーカ６、７が組み込まれた支持フレーム８は、箱状のケース９の内部に収容されて固定されている。ケース９には、第１放音孔１６が第１スピーカ６の第１放音孔１１に対応する位置に設けられており、第２放音孔１７が第２スピーカ７の第２放音孔１２に対応する位置に設けられている。したがって、第１スピーカ６の前面側及び第２スピーカ７の前面側は、各放音孔１１，１２及び各放音孔１６，１７を介して、外部に連通されている。
【００２６】
また、ケース９の内部には、支持フレーム８の制動孔１３に隣接する位置に、空間１０に容積を加えるための補助空間２０が設けられている。この補助空間２０は、制動孔１３を介して空間１０と連通されている。また、この補助空間２０は、図１（ａ）に示すように、支持フレーム８の３つの側面に亘ってコ字状に形成されている。
【００２７】
また、ケース９の外部には、図２に示すように、各スピーカ６，７の入力端子６ｃ，７ｃに配線を介して電気的にそれぞれ接続された外部端子１８，１９が設けられている。
【００２８】
なお、本発明において、支持フレームが第１スピーカ及び第２スピーカのそれぞれの全体を覆う構造とは、厳密には、第１放音孔、第２放音孔、及び制動孔を除いて第１スピーカ及び第２スピーカのそれぞれの全体を覆う構造を指している。
【００２９】
以上のように構成されたスピーカ装置１について、第１スピーカ６及び第２スピーカ７の各振動板６ａ，７ａの動作について図面を参照して説明する。
【００３０】
図３〜図６は、第１スピーカ６と第２スピーカ７の各々入力端子へ入力信号を制御して入力したときの各スピーカ６，７の振動板６ａ，７ａの動きを示している。図３及び図４は、第１スピーカ６と第２スピーカ７の各(＋)入力端子側に同位相で信号を入力したときの第１スピーカ６と第２スピーカ７の動きを示している。すなわち、第１スピーカ６と第２スピーカ７の各（＋）入力端子に全く同じ同位相の信号を入れたときの動きである。
【００３１】
第１スピーカ６の背面側と第２スピーカ７の背面側が対向して配置されているので、図３に示すように、第１スピーカ６が上側に膨らむように動くときは、第２スピーカ７は下側に膨らむように動く。逆に図４に示すように、第１スピーカ６が下側に膨らむように動くときは、第２スピーカ７は上側に膨らむように動く。つまり、第１スピーカ６と第２スピーカ７は相反する動きをする。
【００３２】
図３に示すように、第１スピーカ６が上側に膨らむように動き、第２スピーカ７が下側に膨らむように動くときには、空間１０の容積が大きくなる。一方、図４に示すように、第１スピーカ６が下側に膨らむように動き、第２スピーカ７が上側に膨らむように動くときには、空間１０の容積が小さくなる。このような第１及び第２スピーカ６，７の動作に応じて、空間１０の容積は変化する。
【００３３】
そして、各スピーカ６，７から空間１０側に放出された音は、支持フレーム８に制動孔１３が設けられていることによって、制動孔１３から抜け出る。このため、各スピーカ６，７から空間１０側に放出された音が各スピーカ６，７の振動を抑制する影響が少なくなり、音圧の劣化も少なく、第１スピーカ６と第２スピーカ７を良好に動作させることができる。さらに、ケース９の補助空間２０の容積が、空間１０の容積としての役割を果たすので、空間１０の容積が補われて充分に大きい容積が確保される。このため、各スピーカ６，７の振動を抑制する影響が少なくなり、音圧の劣化も少なくすることができる。
【００３４】
図５及び図６は、図３及び図４における入力信号とは異なり、第１スピーカ６の（＋）入力端子側に入力した信号に対して位相が反転した信号を第２スピーカ７の（＋）入力端子側に入力した逆位相入力信号時の動きを示している。
【００３５】
図５及び図６に示すように、第１スピーカ６の背面側と第２スピーカ７の背面側が対向して配置されているので、各スピーカ６，７に互いに逆位相で信号が入力されたとき、第１スピーカ６と第２スピーカ７は共に同一方向に動く。このとき、空間１０の容積は、図５に示すように第１スピーカ６と第２スピーカ７が共に上側に膨らむように動くときと、図６に示すように第１スピーカ６と第２スピーカ７が共に下側に膨らむように動くときでは、空間１０の容積がほぼ変化しない。
【００３６】
ただし、第１スピーカ６と第２スピーカ７のサイズの違いや振動特性のバラツキ、入力レベルに差を与えた場合には、空間１０の容積が変化して、一方のスピーカの振動を妨げる働きをする。しかしながら、支持フレーム８に制動孔１３が設けられていることによって、各スピーカ６，７から空間１０側に放出された音は、制動孔１３から抜け出るので、スピーカ６，７の振動を抑制する影響が少なくなり、音圧の劣化も少なく、第１スピーカ６と第２スピーカ７を良好に動作させることができる。
【００３７】
さらに、ケース９の補助空間２０の容積が空間１０の容積としての役割を果たすので、空間１０の容積が補われて充分に大きい容積が確保される。このため、各スピーカ６，７から空間１０側に放出された音がスピーカ６，７の振動を抑制する影響が更に少なくなり、音圧の劣化も更に少なくすることができる。
【００３８】
また、スピーカ装置１は、補助空間２０を大きくすることで、空間１０の容積を低減することが可能であるため、各スピーカ６，７の背面側が対向する間隔を小さくすることも可能になり、各スピーカ６，７の厚み方向に対する薄型化を図ることができる。
【００３９】
図７は、図３〜図６の入力条件における、図１に示す第１放音孔１１側の所定の位置での音圧周波数特性を示している。図７において、縦軸が音圧（ｄＢｓｐｌ）を示し、横軸が周波数（Ｈｚ）を示している。また、図７において、実線が同位相信号入力時を示し、破線が逆位相信号入力時を示す。
【００４０】
図７に示すように、低音域側では同位相で入力したときに音圧が大きくなり、中高音域では逆位相入力時に音圧が大きい。この特性に基づいて、スピーカ装置１を有する携帯電話機では、音声帯域である低域音圧を重視する使用シーンで使用する音声拡声時に、各スピーカ６，７に同位相で信号を入力するように制御を行うことで、低域音圧を大きくすることができる。また、この携帯電話機では、再生帯域が広い音楽等を再生させるときに各スピーカ６，７に互いに逆位相で信号を入力するように制御を行い、中高音域を重視した音を得ることができる。
【００４１】
図８（８Ａ〜８Ｅ）は、図７に示したある特定の周波数（５００Ｈｚ、１ｋＨｚ、２ｋＨｚ、４ｋＨｚ、８ｋＨｚ）における指向性をそれぞれ示している。各スピーカ６，７に同位相で信号を入力したときには、図８中に実線Ｌ１で示すように、無指向性である、ほぼ円形に近い指向性になる。一方、各スピーカ６，７に互いに逆位相で信号を入力したときには、図８中に実線Ｌ２で示すように、「８」の字状を示す指向性になる。図８において、「０°」の方向が第１放音孔１１側の特性を示しており、「１８０°」の方向が第２放音孔１２側の特性を示している。
【００４２】
図８Ａ〜８Ｅに示したように、広い指向性が必要な着信音のような音を鳴らす場合には各スピーカ６，７を同位相で鳴らすことで、着信音としての機能の向上が図られる。逆に、ある方向に対して指向性だけをもたせて鳴らすような場合には、各スピーカ６，７を互いに逆位相で鳴らすことで、例えば信号の入力レベルを調整して、ある方向だけに指向性をもたせることを容易に制御することが可能になる。
【００４３】
また、スピーカ装置１は、第１スピーカ６と第２スピーカ７が配置された両面側から音が出力されているので、片側の放音孔、仮にケース９の第２放音孔１７が塞がれたときであっても、制動孔１３が設けられていることで、第１スピーカ６の振動板６ａの振動への影響がなく、音圧の劣化が少ない状態で音を再生することができる。図７及び図８に示した特性はあくまでも代表的な例であり、使用するスピーカの大きさ、実装位置、スピーカの放音孔の大きさ、信号の入力レベル等に応じて特性が変化するものであり、これら条件を変化させることで、特性の調整も適宜行うことができる。
【００４４】
なお、図示しないが、スピーカ装置１を備える携帯型電話機は、液晶表示板や通信回路等を制御する制御回路を備えており、この制御回路によって、第１スピーカ６及び第２スピーカ７のそれぞれの入力端子に対して、同位相の信号を入力する状態と、互いに逆位相の信号を入力する状態とを制御するように構成されている。
【００４５】
上述したように、本実施形態のスピーカ装置１は、背面側を互い対向させて配置された第１及び第２スピーカ６，７と、第１及び第２放音孔１１，１２、制動孔１３を有する支持フレーム８とを備えて、各スピーカ６，７が独立して振動を制御可能に構成されている。このため、スピーカ装置１は、各スピーカ６，７に対して、信号を同位相、逆位相で入力する制御や、信号の入力レベルの制御を行うことで、様々な使用シーンに応じた特性（音圧、音質）、指向性をもった音を容易に得ることができる。
【００４６】
また、スピーカ装置１は、各スピーカ６，７の前面側に第１及び第２放音孔１１，１２がそれぞれ設けられており、２つの放音孔１１，１２の一方が塞がれた状態であっても、各スピーカ６，７に共通な制動孔１３から音を放出することで、音圧の劣化を低減することができる。
【００４７】
また、スピーカ装置１によれば、比較的薄型の圧電スピーカである第１及び第２スピーカ６，７が互いに背面側を対向させて配置されて、各スピーカ６，７が対向する間隔を比較的小さくすることによって、各スピーカ６，７を実装するために比較的狭いスペースを要するだけで音圧、音質の改善を図ることが可能になる。
【００４８】
以上のように構成される実施形態のスピーカ装置１の製造方法は、入力端子６ｃ、７ｃを有する各スピーカ６，７をそれぞれの背面側の間に空間をあけて対向させた状態で支持フレーム８に実装する工程を有する。また、この製造方法は、支持フレーム８に、第１及び第２放音孔１１，１２、制動孔１３を形成する工程を有する。また、この製造方法は、補助空間２０が内部に設けられているケース９の内部に支持フレーム８を実装する工程を有する。
【００４９】
次に、他の実施形態について図面を参照して説明する。なお、他の実施形態のスピーカ装置の構成において、上述した実施形態のスピーカ装置１の構成と同一の部材には同一符号を付して説明を省略する。
【００５０】
図９に示すように、他の実施形態のスピーカ装置２は、第１放音孔２６及び第２放音孔２７の位置が、上述したスピーカ装置１における第１放音孔１１及び第２放音孔の位置と異なっている。
第１及び第２放出孔２６，２７は、各スピーカ６，７の厚み方向に直交する方向に支持フレーム８を貫通して設けられており、支持フレーム８の同一の側面にそれぞれ配置されている。
【００５１】
同様に、ケース９には、第１放音孔３１が第１スピーカ６の第１放音孔２６に対応する位置に設けられており、第２放音孔３２が第２スピーカ７の第２放音孔２７に対応する位置に設けられている。
【００５２】
以上のように構成されたスピーカ装置２においても、上述した実施形態と同様の効果が得られる。また、基本的な構成は上述の通りであるが、１．３ｋＨｚ以下の低音域では同位相で鳴らし、１．３ｋＨｚ以上の中高音域では逆位相で鳴らすことができるように、入力する信号に対して、帯域分割が可能なフィルターを使用して、１．３ｋＨｚ以下の帯域では同位相で入力し、１．３ｋＨｚ以上の帯域では位相反転アンプ等を用いて逆位相を入力するように制御するように構成されてもよい。この構成によれば、低音域及び中高音域と全帯域を最も優れた特性でスピーカ６，７を鳴らすことが可能である。
【００５３】
なお、１．３ｋＨｚを境にして低音域と中高音域とに分割する構成は、本実施形態の１つの構成例であって、この周波数に限定するものではなく、スピーカ形状、ケース形状、スピーカの放音孔の形状等で変化するものであり、適宜設定されてもよいことは勿論である。
【００５４】
以上のように構成された実施形態のスピーカ装置が実装される実施形態の携帯型電話機について図面を参照して説明する。
【００５５】
図１０に示すように、携帯型電話機３は、液晶表示板４４が配置された表示部側筐体４１と、各種の操作キー４５が配置された操作部側筐体４２とを有し、これら表示部側筐体４１と操作部側筐体４２とがヒンジ部４３を介して回動可能に連結されて構成されている。この携帯型電話機３には、実施形態のスピーカ装置１が実装されている。表示部側筐体４１は、液晶表示板４４が配置された前面側筐体４１ａと、液晶表示板４４の背面側を覆う背面側筐体４１ｂとを有している。
【００５６】
そして、スピーカ装置１が携帯型電話機に実装される構成列としては、例えば図１１に示すように、表示部側筐体４１の前面側筐体４１ａに第１放音孔１６が配置され、背面側筐体４１ｂに第２放音孔１７が配置される構成が採られる。各スピーカ６，７は、表示部側筐体４１の厚み方向（液晶表示板４４の表示面に直交する方向）に対して空間１０をあけて対向して配置されている。この構成のように、携帯型電話機３では、前面側筐体４１ａ及び背面側筐体４１ｂに、各放出孔１６，１７がそれぞれ配置されるようにスピーカ装置１が実装されることで、液晶表示板４４の表示面に平行な方向に関して比較的小さなスペースにスピーカ装置１を実装することが可能になり、携帯型電話機３の大型化を避けることができる。
【００５７】
また同様に、実施形態のスピーカ装置２が実装される携帯型電話機は、各スピーカ６，７が図１１に示した構成と同様の向きに配置される。この構成では、表示部側筐体４１の厚み方向の側面に放出孔３１、３２がそれぞれ配置される。
【００５８】
なお、携帯型電話機は、上述した実施形態のスピーカ装置１，２の配置に限定されるものではなく、必要に応じて、表示部側筐体に対する各放出孔の向きが適宜設定されてもよく、スピーカ装置が操作部側筐体に配置される構成が採られてもよいことは勿論である。
【図面の簡単な説明】
【００５９】
【図１】本実施形態のスピーカ装置を示す図である。
【図２】前記スピーカ装置を示すＡ−Ａ断面図である。
【図３】第１スピーカと第２スピーカに同位相の信号を入力した状態を示すＡ−Ａ断面図である。
【図４】第１スピーカと第２スピーカに同位相の信号を入力した状態を示すＡ−Ａ断面図である。
【図５】第１スピーカと第２スピーカに互いに逆位相の信号を入力した状態を示すＡ−Ａ断面図である。
【図６】第１スピーカと第２スピーカに互いに逆位相の信号を入力した状態を示すＡ−Ａ断面図である。
【図７】前記スピーカ装置の音圧周波数特性を示す図である。
【図８】第１及び第２スピーカに同位相及び逆位相の信号を入力したときの指向性をそれぞれ示す図である。
【図９】他の実施形態のスピーカ装置を示すＡ−Ａ断面図である。
【図１０】実施形態の携帯型電話機を模式的に示す斜視図である。
【図１１】前記携帯型電話機に実装されたスピーカ装置を模式的に示す透視図である。
【符号の説明】
【００６０】
１  スピーカ装置
６  第１スピーカ
６ａ  振動板
６ｂ  駆動部
６ｃ  入力端子
７  第２スピーカ
７ａ  振動板
７ｂ  駆動部
７ｃ  入力端子
８  支持フレーム
１０  空間
１１  第１放音孔
１２  第２放音孔
１３  制動孔
【図１】
2010119032.tif 000003
【図２】
2010119032.tif 000004
【図３】
2010119032.tif 000005
【図４】
2010119032.tif 000006
【図５】
2010119032.tif 000007
【図６】
2010119032.tif 000008
【図７】
2010119032.tif 000009
【図８】
2010119032.tif 000010
【図９】
2010119032.tif 000011
【図１０】
2010119032.tif 000012
【図１１】
2010119032.tif 000013